(57)【特許請求の範囲】
【請求項１】
複数のＶＤＳＬ装置をカスケード接続し、アップリンクに接続した先頭のＶＤＳＬ装置をマスタＶＤＳＬ装置とし、他のＶＤＳＬ装置をスレーブＶＤＳＬ装置としたＶＤＳＬ伝送システムに於いて、
前記マスタＶＤＳＬ装置及び前記スレーブＶＤＳＬ装置は、それぞれリンク確立のポート及び該ポート対応の必要とする帯域の情報を収集し、且つリンク確立のポート対応の帯域割当制御処理機能を有する監視制御部を備え、
前記マスタＶＤＳＬ装置の前記監視制御部は、自装置のポート対応のリンク確立の有無の情報及び該リンク確立のポート対応の必要とする帯域量の情報と、前記スレーブＶＤＳＬ装置の前記監視制御部により収集したリンク確立のポートと該ポート対応の必要とする帯域量の情報とを基に、前記アップリンクの帯域を前記リンク確立のポート対応に分配した結果とポート対応の必要とする帯域量との差分を求め、空き帯域量の合計を、不足帯域量のポートに分配処理した結果の情報を、前記スレーブＶＤＳＬ装置の前記監視制御部に通知する機能を備えた
ことを特徴とするＶＤＳＬ伝送システム。
【請求項２】
複数のＶＤＳＬ装置をカスケード接続し、アップリンクに接続する先頭のＶＤＳＬ装置をマスタＶＤＳＬ装置とし、他のＶＤＳＬ装置をスレーブＶＤＳＬ装置としてデータ伝送するＶＤＳＬ伝送方法に於いて、
前記マスタＶＤＳＬ装置及び前記スレーブＶＤＳＬ装置にそれぞれ設けた監視制御部は、それぞれ自装置のポート対応のリンク確立の情報及び自装置のリンク確立のポート対応の必要とする帯域の情報とを収集する処理過程と、
前記マスタＶＤＳＬ装置の前記監視制御部は、自装置のポート対応のリンク確立の有無の情報及びリンク確立のポート対応の必要とする帯域量の情報と、前記スレーブＶＤＳＬ装置の監視制御部により収集した各自装置のポート対応のリンク確立の有無の情報及び前記リンク確立のポート対応の必要とする帯域量の情報とを収集する処理過程と、
前記収集した情報を基にリンク確立のポート数に従って前記マスタＶＤＳＬ装置のアップリンクの帯域を分配した結果の帯域量と前記ポート対応の必要とする帯域量との差分を求め、該差分の合計の空き帯域量を、不足帯域量のポートに分配する処理過程と、
該処理過程による前記リンク確立のポート対応の割当帯域の情報を、前記マスタＶＤＳＬ装置及び前記スレーブＶＤＳＬ装置のそれぞれの前記監視制御部に設定し、該監視制御部により前記リンク確立のポート対応の帯域制御を行う過程と
を含むことを特徴とするＶＤＳＬ伝送方法。
【発明の詳細な説明】
【技術分野】
【０００１】
本発明は、加入者線により高速データ伝送を可能とするＶＤＳＬ（Ｖｅｒｙ  ｈｉｇｈ−ｂｉｔ−ｒａｔｅ  Ｄｉｇｉｔａｌ  Ｓｕｂｓｃｒｉｂｅｒ  Ｌｉｎｅ）装置を複数台カスケード接続し、各ＶＤＳＬ装置にそれぞれ接続した全加入者端末装置に対して平均化したサービスを提供できるように構成したＶＤＳＬ伝送システム及びＶＤＳＬ伝送方法に関する。
【背景技術】
【０００２】
加入者線を用いたデータ伝送方式として、ｘＤＳＬ（ｘ  Ｄｉｇｉｔａｌ  Ｓｕｂｓｃｒｉｂｅｒ  Ｌｉｎｅ）方式が総称名称で知られており、その中には、伝送可能速度や伝送可能距離に対応して、ＨＤＳＬ（Ｈｉｇｈ−ｂｉｔ−ｒａｔｅ  ＤＳＬ）、ＳＤＬＳ（Ｓｙｍｍｅｔｒｉｃ  ＤＳＬ）、ＡＤＳＬ（Ａｓｙｍｍｅｔｒｉｃ  ＤＳＬ）、ＲＡＤＳＬ（Ｒａｔｅ  Ａｄａｐｔｉｖｅ  ＤＳＬ）、ＶＤＳＬ（Ｖｅｒｙ  Ｈｉｇｈ−ｂｉｔ−ｒａｔｅ  ＤＳＬ）等の名称の伝送方式が知られている。その中では、ＡＤＳＬ伝送方式が一般的には普及しており、ＶＤＳＬ伝送方式も集合住宅等の内部の加入者線を利用し、光ファイバ伝送と組み合わせた高速伝送方式として普及している。
【０００３】
ＶＤＳＬ方式は、下り方向が例えば１３〜５２Ｍｂｐｓ、上り方向が例えば１．５〜２Ｍｂｐｓの伝送速度で、伝送可能距離は、１対の電話線を用いて最大３００ｍ程度である。又ホテルや集合住宅に於いては、加入者数が多数となるから、ＶＤＳＬ装置のポート数が例えば１６ポートとすると、加入者数に応じて、ＶＤＳＬ装置をカスケード接続し、各ＶＤＳＬ装置のカスケード接続用のポート以外のポートに、ホテル内や集合住宅内の電話回線とモデムとを介して加入者端末装置を接続することになる。そして、ホテルや集合住宅と電話局との間を光ファイバ回線で接続する構成を適用する場合が一般的である。
【０００４】
図７は、従来例のＶＤＳＬ装置をカスケード接続したＶＤＳＬ伝送システムの要部を示し、１０１−１〜１０１−３はＶＤＳＬ装置、１０２はアップリンク部、１０３はダウンリンク部、１０４はポート部であり、ＶＤＳＬ装置１０１−１〜１０１−３は、それぞれアップリンク接続するアップリンク部１０２と、ダウンリンク接続するダウンリンク部１０３と、加入者端末装置を接続するポート部１０４とを有し、ダウンリンク部１０３に他のＶＤＳＬ装置のアップリンク部１０２を接続することにより、カスケード接続構成とする。又ポート部１０４は、例えば、１６加入者端末装置を接続する１６個のポートを備えている。図示のシステムの場合、４８加入者端末装置を収容することができる。
【０００５】
又ＶＤＳＬ装置１０１−１〜１０１−３は、ダウンリンク部１０３を備えているが、このダウンリンク部１０３を備えていないＶＤＳＬ装置の場合、ポート部１０４の１個のポートに、他のＶＤＳＬ装置のアップリンク部１０２を接続することにより、ＶＤＳＬ装置のカスケード接続を行うことになる。従って、ポート部１０４の１６個のポートの中の１５個のポートに加入者端末装置を接続することになり、３台のＶＤＳＬ装置をカスケード接続した場合、４５加入者端末装置を収容可能となる。なお、一般的なＶＤＳＬ装置の場合、カスケード接続可能台数は、通常５台程度である。
【０００６】
又外部ネットワークに対して、複数のＬＡＮスイッチをカスケード接続し、外部ネットワーク側のＬＡＮスイッチをマスタスイッチとし、他のＬＡＮスイッチをスレーブスイッチとして、各スレーブスイッチは、マスタスイッチに対する接続順番と、送信ホストとの間のインタフェース速度との情報を通知し、マスタスイッチは、各スレーブスイッチのスループットが平均化するように、各スレーブスイッチのトラヒック制御用のスケジューラに設定する為のそれぞれの重みを算出し、この算出した重み情報を各スレーブスイッチに転送して設定する伝送手段が提案されている（例えば、特許文献１参照）。
【特許文献１】特開２００１−５３７９７号公報
【発明の開示】
【発明が解決しようとする課題】
【０００７】
ＶＤＳＬ装置は、前述のように、複数の加入者端末装置を接続する為のポートを有し、ダウンリンク部１０３を有する場合は、そのダウンリンク部１０３を用いてカスケード接続する。又ダウンリンク部１０３を備えていない場合は、ポート部１０４の複数のポートの中の一つのポートを他のＶＤＳＬ装置と接続する為に使用する。ＶＤＳＬ装置をカスケード接続し、光回線等を介して電話局側に接続するＶＤＳＬ装置をマスタＶＤＳＬ装置、他のＶＤＳＬ装置をスレーブＶＤＳＬ装置とし、ダウンリンク部１０３もポート部１０４の中の一つのポートと同一の帯域とした場合、又はポート部１０４の中の一つのポートを用いてカスケード接続した場合、マスタＶＤＳＬ装置に接続された加入者端末装置が利用できる伝送帯域が多く、このマスタＶＤＳＬ装置からの接続順番が遠くなる程、スレーブＶＤＳＬ装置に接続された加入者端末装置が利用できる帯域が少なくなる問題がある。
【０００８】
例えば、マスタＶＤＳＬ装置は、アップリンク側は、１．６Ｇｂｐｓの帯域とすると、ダウンリンク側はアップリンク側より狭い１Ｇｂｐｓの帯域とする場合が一般的であり、従って、スレーブ側は、アップリンク側より０．６Ｇｂｐｓ少ない帯域となるから、ポート部に接続された加入者端末装置が利用できる帯域は、マスタ側よりスレーブ側が狭くなり、従って、ＶＤＳＬ装置のカスケード接続順位に従って、ＶＤＳＬ装置対応の加入者端末装置が利用できる帯域に不公平が生じる問題がある。
【０００９】
そこで、前述の特許文献１に示されているように、サービスの平均化が考えられるが、カスケード接続したＶＤＳＬ装置の複数のポートに接続された加入者端末装置は、各種の構成が混在しており、加入者の使用帯域もそれぞれ相違する場合が多いものである。従って、単に帯域配分をポート数に対応して分配しても、帯域の有効利用を図ることができない問題がある。
【００１０】
本発明は、前述の問題を解決するものであり、カスケード接続されたＶＤＳＬ装置のポートにそれぞれ接続された加入者端末装置に公平に帯域を割り当て、又帯域の有効利用を図ることを目的とする。
【課題を解決するための手段】
【００１１】
本発明のＶＤＳＬ伝送システムは、複数のＶＤＳＬ装置をカスケード接続し、アップリンクに接続した先頭のＶＤＳＬ装置をマスタＶＤＳＬ装置とし、他のＶＤＳＬ装置をスレーブＶＤＳＬ装置としたＶＤＳＬ伝送システムに於いて、前記マスタＶＤＳＬ装置及び前記スレーブＶＤＳＬ装置は、それぞれリンク確立のポート及び該ポート対応の必要とする帯域の情報を収集し、且つリンク確立のポート対応の帯域割当制御処理機能を有する監視制御部を備え、前記マスタＶＤＳＬ装置の前記監視制御部は、自装置のポート対応のリンク確立の有無の情報及び該リンク確立のポート対応の必要とする帯域の情報と、前記スレーブＶＤＳＬ装置の前記監視制御部により収集したリンク確立のポートと該ポート対応の必要とする帯域量の情報とを基に、前記アップリンクの帯域を前記リンク確立のポート対応に分配した結果とポート対応の必要とする帯域量との差分を求め、空き帯域量の合計を、不足帯域量のポートに分配処理した結果の情報を、前記スレーブＶＤＳＬ装置の前記監視制御部に通知する機能を備えている。
【００１２】
又複数のＶＤＳＬ装置をカスケード接続し、アップリンクに接続する先頭のＶＤＳＬ装置をマスタＶＤＳＬ装置とし、他のＶＤＳＬ装置をスレーブＶＤＳＬ装置としたＶＤＳＬ伝送システムに於いて、前記マスタＶＤＳＬ装置及び前記スレーブＶＤＳＬ装置にそれぞれポート対応のリンク確立の情報及びポート対応の必要とする帯域の情報とを収集して監視する監視制御部を設け、前記マスタＶＤＳＬ装置の前記監視制御部は、自装置のポート対応のリンク確立の有無の情報及び必要とする帯域量の情報と、前記スレーブＶＤＳＬ装置の監視制御部により収集したポート対応のリンク確立の有無の情報及び必要とする帯域量の情報とを収集し、リンク確立のポート数に従って前記マスタＶＤＳＬ装置のアップリンクの帯域を分配した結果と前記必要とする帯域量との差分を求め、空き帯域量の合計を、不足帯域量のポートに分配処理した結果の情報を、前記スレーブＶＤＳＬ装置の前記監視制御部に通知する機能を備えている。
【００１３】
本発明のＶＤＳＬ伝送方法は、複数のＶＤＳＬ装置をカスケード接続し、アップリンクに接続する先頭のＶＤＳＬ装置をマスタＶＤＳＬ装置とし、他のＶＤＳＬ装置をスレーブＶＤＳＬ装置としてデータ伝送するＶＤＳＬ伝送方法に於いて、前記マスタＶＤＳＬ装置及び前記スレーブＶＤＳＬ装置にそれぞれ設けた監視制御部は、それぞれ自装置のポート対応のリンク確立の情報及び自装置のリンク確立のポート対応の必要とする帯域の情報とを収集する処理過程と、前記マスタＶＤＳＬ装置の前記監視制御部は、自装置のポート対応のリンク確立の有無の情報及びリンク確立のポート対応の必要とする帯域量の情報と、前記スレーブＶＤＳＬ装置の監視制御部により収集した各自装置のポート対応のリンク確立の有無の情報及び前記リンク確立のポート対応の必要とする帯域量の情報とを収集する処理過程と、前記収集した情報を基にリンク確立のポート数に従って前記マスタＶＤＳＬ装置のアップリンクの帯域を分配した結果の帯域量と前記ポート対応の必要とする帯域量との差分を求め、該差分の合計の空き帯域量を、不足帯域量のポートに分配する処理過程と、該処理過程による前記リンク確立のポート対応の割当帯域の情報を、前記マスタＶＤＳＬ装置及び前記スレーブＶＤＳＬ装置のそれぞれの前記監視制御部に設定し、該監視制御部により前記リンク確立のポート対応の帯域制御を行う過程とを含むものである。
【００１４】
又複数のＶＤＳＬ装置をカスケード接続し、アップリンクに接続する先頭のＶＤＳＬ装置をマスタＶＤＳＬ装置とし、他のＶＤＳＬ装置をスレーブＶＤＳＬ装置としてデータ伝送するＶＤＳＬ伝送方法に於いて、前記マスタＶＤＳＬ装置及び前記スレーブＶＤＳＬ装置にそれぞれ設けた監視制御部によりポート対応のリンク確立の情報及びポート対応の必要とする帯域の情報とを収集し、前記マスタＶＤＳＬ装置の前記監視制御部は、自装置のポート対応のリンク確立の有無の情報及び必要とする帯域量の情報と、前記スレーブＶＤＳＬ装置の監視制御部により収集したポート対応のリンク確立の有無の情報及び必要とする帯域量の情報とを収集し、リンク確立のポート数に従って前記マスタＶＤＳＬ装置のアップリンクの帯域を分配した結果と前記必要とする帯域量との差分を求め、空き帯域量の合計を、不足帯域量のポートに分配処理した結果の情報を、前記スレーブＶＤＳＬ装置の前記監視制御部に通知する過程を含むものである。
【発明の効果】
【００１５】
カスケード接続したＶＤＳＬ装置のリンク確立したポート数に従って各ポート対応の帯域を割り当てることにより、スレーブＶＤＳＬ装置のポートに対しても、マスタＶＤＳＬ装置のポートと同様の帯域、即ち、公平に帯域割り当てを行うことができ、又各ポート対応の必要帯域の情報を収集して、空き帯域量を不足帯域量のポートに再分配することにより、空き帯域の有効利用を図ることができる。
【発明を実施するための最良の形態】
【００１６】
本発明のＶＤＳＬ伝送システムは、図１を参照して説明すると、複数のＶＤＳＬ装置１−１〜１−３をカスケード接続し、アップリンクに接続する先頭のＶＤＳＬ装置１−１をマスタＶＤＳＬ装置とし、他のＶＤＳＬ装置１−２，１−３をスレーブＶＤＳＬ装置としたＶＤＳＬ伝送システムに於いて、マスタＶＤＳＬ装置１−１及びスレーブＶＤＳＬ装置１−２，１−３にそれぞれポート対応の少なくともリンク確立の有無の情報を収集して監視する監視制御部５を設け、マスタＶＤＳＬ装置１−１の監視制御部５は、自装置のポート部４のポート対応のリンク確立の有無の情報と、スレーブＶＤＳＬ装置１−２，１−３の監視制御部５により収集したそれぞれのポート部４のポート対応のリンク確立の有無の情報とを収集し、リンク確立のポート数に従ってマスタＶＤＳＬ装置のアップリンクの帯域を分配した情報を、スレーブＶＤＳＬ装置１−２，１−３の監視制御部５に通知する機能を備えている。
【実施例１】
【００１７】
図１は、本発明の実施例１の説明図であり、１−１〜１−３はＶＤＳＬ装置、２はアップリンク部、３はダウンリンク部、４はポート部、５は監視制御部を示し、ＶＤＳＬ装置１−１のダウンリンク部３に、ＶＤＳＬ装置１−２のアップリンク部２を接続し、このＶＤＳＬ装置１−２のダウンリンク部３に、ＶＤＳＬ装置１−３のアップリンク部２を接続して、カスケード接続構成のＶＤＳＬ伝送システムを構成し、ポート部４に、図示を省略したモデム等を含む加入者端末装置を接続する。
【００１８】
又ポート部４は、例えば、図７に示す場合と同様に、１６個のポートを備えることができる。又各ＶＤＳＬ装置１−１〜１−３に監視制御部５を設ける。アップリンクに接続するカスケード接続の先頭のＶＤＳＬ装置１−１をマスタ、後続のＶＤＳＬ装置１−２，１−３をスレーブとする。マスタＶＤＳＬ装置１−１の監視制御部５と、各スレーブＶＤＳＬ装置１−２，１−３の監視制御部５とは、それぞれ自装置のポート部４の監視を行い、又相互に監視制御フレーム等により相互に通信する機能を備えている。又マスタＶＤＳＬ装置１−１の監視制御部５は、スレーブＶＤＳＬ装置１−２，１−３の各ポートのリンク確立の情報等を収集して、アップリンクの帯域を、リンク確立のポート数に従って、各ポート対応に使用帯域の割当等の処理機能を備えている。このようなマスタＶＤＳＬ装置１−１とスレーブＶＤＳＬ装置１−２，１−３との監視制御部５は、例えば、マスタＶＤＳＬ装置１−２の監視制御部５のプログラム設定等により、マスタ側としての機能を実現することができる。
【００１９】
図２は、マスタＶＤＳＬ装置１−１とスレーブＶＤＳＬ装置１−２との説明図であり、図１と同一符号は同一部分を示し、６は制御部である。又ポート部４は、１６ポートを備えている場合を示し、例えば、各ポート対応に１Ｍｂｐｓの帯域を有し、又マスタＶＤＳＬ装置１−１とスレーブＶＤＳＬ装置１−２とのカスケード接続の為のダウンリンク部３とアップリンク部２とは図示を省略し、監視制御部５を介して接続している状態を示している。又制御部６は、ポート部４の各ポートのデータをポート対応に時分割的に選択制御し、アップリンク部（図示を省略）に送出する機能を有するものである。
【００２０】
図３は、前述の制御部の説明図であり、１１はポートプライオリティ部、１２はキュー、１３は選択部（ＳＰ）、１４はラウンドロビン方式により順次選択して出力する出力部を示す。ポートプライオリティ部１１は、ポート部４のポート対応に設けて、送信するデータのプライオリティに従ったキュー１２にデータの振り分けを行い、選択部１３は、プライオリティの高いキューを他のプライオリティの低いキューに比較して先に選択し、出力部１４に転送する。出力部１４はラウンドロビン方式により、ポート対応の選択部１３を順次選択してデータをアップリンク側へ送出する。
【００２１】
図４は、本発明の実施例１のシーケンス説明図であり、図１に於けるマスタＶＤＳＬ装置１−１と、スレーブＶＤＳＬ装置１−２と、このスレーブＶＤＳＬ装置１−２のポート部に接続されたモデム（加入者端末装置）との間のシーケンスを示す。スレーブＶＤＳＬ装置１−２は、カスケード接続（２−１）を行ってマスタＶＤＳＬ装置１−１に対して立ち上げの情報を通知する。マスタＶＤＳＬ装置１−１の監視制御部５の機能により、スレーブＶＤＳＬ装置１−２に番号を付与する（１−１）。スレーブＶＤＳＬ装置１−２の監視制御部５は、この付与された番号を保持する（２−２）。装置番号は、例えば、マスタＶＤＳＬ装置１−１に対する接続順に従って，ｖ＝１，２，３，・・・のように付与することができる。
【００２２】
スレーブＶＤＳＬ装置１−２と、そのポート部に接続されたモデムとの間で、信号検出（２−３），（３−１）、受信等化器のトレーニングを行い（２−４），（３−２）、フレーム同期確立（２−５），（３−３）による相互間の同期化を行い、スレーブＶＤＳＬ装置１−２の監視制御部５により、ポート部４の各ポートにポート番号を付与する（２−６）。それにより、モデムが接続されたポートの番号が決定し（３−４）、スレーブＶＤＳＬ装置１−２はＲＡ開始（２−７）、即ち、モデムに対するアクセス動作を開始する。次に、モデムは回線状態による伝送速度を決定し（３−５）、スレーブＶＤＳＬ装置１−２に通知し、付与したポート番号とモデムとの情報をマスタＶＤＳＬ装置１−１に通知する（２−８）。マスタＶＤＳＬ装置１−１は、その監視制御部５により全てのＶＤＳＬ装置を一括で監視する（１−２）。ポート番号は、例えば、１６個のポートの場合、ａ＝１，２，３，・・・１６として付与することができる。このような番号付けにより、例えば、マスタＶＤＳＬ装置１−１の１番目のポートを、ｖ＝１，ａ＝１とし、２番目のポートを、ｖ＝１，ａ＝２として管理し、スレーブＶＤＳＬ装置１−２の１番目のポートを、ｖ＝２，ａ＝１とし、２番目のポートを、ｖ＝２，ａ＝２として管理することができる。このようにして、マスタＶＤＳＬ装置１−１の監視制御部５は、モデムとのリンク確立した数を把握することができる。
【００２３】
図５は、マスタＶＤＳＬ装置１−１とスレーブＶＤＳＬ装置１−３との間を、スレーブＶＤＳＬ装置１−２を介した立ち上げ時のシーケンスを示し、前述のマスタＶＤＳＬ装置１−１とスレーブＶＤＳＬ装置１−２との間のシーケンスと同様に、スレーブＶＤＳＬ装置１−３は、スレーブＶＤＳＬ装置１−２を介してカスケード接続して、マスタＶＤＳＬ装置１−１に立ち上げの情報を通知する（４−１）。マスタＶＤＳＬ装置１−１は、スレーブＶＤＳＬ装置１−３に対して番号を付与する（１−３）。それにより、スレーブＶＤＳＬ装置１−３の番号が決定し（４−２）、スレーブＶＤＳＬ装置１−３は、ポート部のポートにモデムを接続し、ポート番号を付与し（４−３）、アクセス開始（ＲＡ開始）を行い、回線状態による伝送速度を決定し（４−４）、ポート番号とモデムの種類等の情報とをマスタＶＤＳＬ装置１−１に通知する（４−５）。マスタＶＤＳＬ装置１−１は、全てのＶＤＳＬ装置を一括で監視する（１−４）。
【００２４】
マスタＶＤＳＬ装置１−１の監視制御部５は、自装置のポート部４に接続されてリンク確立したモデム数と、スレーブＶＤＳＬ装置１−２，１−３のポート部４に接続されてリンク確立したモデム数とを把握することができる。そこで、マスタＶＤＳＬ装置１−１のアップリンクが、例えば、１Ｇｂｐｓの帯域とし、監視制御部５間の通信に１Ｍｂｐｓの帯域を使用する場合、リンク確立したポート数をＮとすると、各ポート対応の最大使用可能帯域Ｍは、Ｍ＝（１０００−１）×１／Ｎとなる。例えば、カスケード接続した３台のＶＤＳＬ装置１−１〜１−３のそれぞれ１６個のポート全部がリンク確立している場合には、Ｍ＝９９９×１／４８＝２０．８（Ｍｂｐｓ）となる。従って、マスタＶＤＳＬ装置１−１とスレーブＶＤＳＬ装置１−２との間は、Ｍ＝９９９−２０．８×１６＝６６６．２（Ｍｂｐｓ）、スレーブＶＤＳＬ装置１−２，１−３間は、Ｍ＝６６６．２−２０．８×１６＝３３３．４（Ｍｂｐｓ）の帯域となる。
【００２５】
マスタＶＤＳＬ装置１−１の監視制御部５は、スレーブＶＤＳＬ装置１−２，１−３の監視制御部５に対して、それぞれのポートに割り当てる帯域を指示することにより、カスケード接続の順番に関係なく、即ち、マスタＶＤＳＬ装置１−１のポート部４に接続された加入者端末装置と、スレーブＶＤＳＬ装置１−２，１−３のポート部４に接続された加入者端末装置とに対して、それぞれ平等なサービス提供が可能となる。
【実施例２】
【００２６】
図６は、本発明の実施例２の帯域割当処理の説明図であり、マスタＶＤＳＬ装置１−１とスレーブＶＤＳＬ装置１−２との２台のＶＤＳＬ装置をカスケード接続し、それぞれのポート数を１６とした場合について、（Ａ）は、マスタＶＤＳＬ装置１−１の監視制御部５に於いて、自装置とスレーブＶＤＳＬ装置１−２の監視制御部５を介して収集したポート対応の情報を示し、（Ｂ）は、帯域の有効利用を図る為に分配処理した後のポート対応の情報を示す。
【００２７】
２台のＶＤＳＬ装置１−１，１−２をカスケード接続し、マスタＶＤＳＬ装置１−１のアップリンクの帯域を前述のように１Ｇｂｐｓとし、監視制御部５間の通信帯域に１Ｍｂｐｓを割り当てた場合、各ＶＤＳＬ装置のポート部４は、１６ポートを有する場合、全ポート数は３２個となり、各ポートに平均化して帯域を割り当てると、Ｍ＝（１０００−１）×１／３２＝３１．２２（Ｍｂｐｓ）となる。しかし、実際に各ポートに必要とする帯域は、平均帯域より少ない場合や、使用していないポートが存在する場合がある。図６の（Ａ）は、このような場合の一例を示し、前述のポート番号ｖ−ａとして、１−１〜２−１６対応に、最大帯域使用量Ｍ、必要な帯域量Ｋ、空き帯域を示し、この空き帯域は、最大帯域使用量Ｍに対する必要な帯域量Ｋの過不足量を示している。
【００２８】
例えば、ポート番号１−１の必要な帯域量Ｋ＝１Ｍｂｐｓは、電話利用の場合であり、ポート番号１−２の必要な帯域量Ｋ＝１００Ｍｂｐｓは、ファイル交換によるデータ送信の場合であり、又ポート番号１−３の必要帯域Ｋ＝０Ｍｂｐｓは、通信していない場合である。又スレーブＶＤＳＬ装置のポート番号２−１５の必要帯域Ｋ＝１０Ｍｂｐｓは、動画サーバにアクセスして映画を鑑賞している場合、ポート番号２−１６の必要帯域Ｋ＝１００Ｍｂｐｓは、ファイル交換によりデータを送信している場合に相当する。
【００２９】
そこで、空き帯域を、平均的に割り当てた場合の帯域不足のポートに振り分ける処理を行う。その為に、マスタＶＤＳＬ装置１−１の監視制御部５は、収集した各ポート対応の必要な帯域量Ｋを基に、空き帯域量の合計を求める。図６の（Ａ）に示す場合は、ポート番号１−１，１−３，２−１５のポートの空き帯域を合計すると、８２．６６Ｍｂｐｓとなる。そこで、不足帯域のポート番号１−２，２−１６のポートに、合計空き帯域を分配する。この場合、ポート番号１−２，２−１６の２個のポートに分配することになり、平均的に割り当てた帯域に、８２．６６／２＝４１．３３（Ｍｂｐｓ）を、それぞれ分配する。図６の（Ｂ）は、ポート番号と、最大帯域使用量Ｍと、必要な帯域量Ｋと、空き帯域と、処理後の帯域とを、ポート番号１−１〜１−１６，２−１〜２−１６について示すものである。この空き帯域の再分配処理により、余剰帯域を公平に分配して、空き帯域の有効利用を図ることができる。又再分配処理結果を、マスタＶＤＳＬ装置１−１の監視制御部５から、スレーブＶＤＳＬ装置１−２の監視制御部５に通知し、各監視制御部５により、ポート部４の各ポート対応の帯域制御を行うものである。
【図面の簡単な説明】
【００３０】
【図１】本発明の実施例１の説明図である。
【図２】本発明の実施例１のＶＤＳＬ装置の説明図である。
【図３】本発明の実施例１の制御部の説明図である。
【図４】本発明の実施例１のシーケンス説明図である。
【図５】本発明の実施例１のシーケンス説明図である。
【図６】本発明の実施例２の説明図である。
【図７】従来例の説明図である。
【符号の説明】
【００３１】
１−１〜１−３  ＶＤＳＬ装置
２  アップリンク部
３  ダウンリンク部
４  ポート部
５  監視制御部
【図１】
0004708201.tif 000002
【図２】
0004708201.tif 000003
【図３】
0004708201.tif 000004
【図４】
0004708201.tif 000005
【図５】
0004708201.tif 000006
【図６】
0004708201.tif 000007
【図７】
0004708201.tif 000008